【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
少なくとも車椅子が乗ることができる大きさである昇降自在なテーブル部と、該テーブル部の一側縁部に配設されるブリッジと、該ブリッジを起立及び倒伏させることができる操作手段とを具備する車椅子用昇降機において、車椅子がテーブル部の一側縁部からこの側縁部に隣接する側縁部方向へ通過可能とするコーナースロープを前記ブリッジに具備したことを特徴とする車椅子用昇降機。
【請求項２】
前記ブリッジをテーブル部の一側縁部と、この側縁部に隣接する少なくとも一方の側縁部に取付け可能とするとともに、このブリッジに前記コーナースロープを取付け可能としたことを特徴とする請求項１に記載の車椅子用昇降機。
【請求項３】
前記ブリッジとコーナースロープを一体としたブリッジを具備したことを特徴とする請求項１に記載の車椅子用昇降機。
【請求項４】
前記操作手段のテーブル部への取付部を備える基部フレームの前記ブリッジが位置する側を開放した構成とするとともに、操作レバーの動作をブリッジに伝達し、ブリッジを起立あるいは倒伏させる部材を、少なくともブリッジを倒伏した際に車椅子の足受部分が基部フレームの開放した部分に進入できるように配設したことを特徴とする請求項１から請求項３に記載の車椅子用昇降機。
【手続補正２】
【補正対象書類名】明細書
【補正対象項目名】０００６
【補正方法】変更
【補正の内容】
【０００６】
請求項１の発明は、少なくとも車椅子が乗ることができる大きさである昇降自在なテーブル部と、該テーブル部の一側縁部に配設されるブリッジと、該ブリッジを起立及び倒伏させることができる操作手段とを具備する車椅子用昇降機において、車椅子がテーブル部の一側縁部からこの側縁部に隣接する側縁部方向へ通過可能とするコーナースロープを前記ブリッジに具備したことを特徴とする。
請求項２の発明は、前記ブリッジをテーブル部の一側縁部と、この側縁部に隣接する少なくとも一方の側縁部に取付け可能とするとともに、このブリッジに前記コーナースロープを取付け可能としたことを特徴とする。
請求項３の発明は、前記ブリッジとコーナースロープを一体をしたブリッジを具備したことを特徴とする。
請求項４の発明は、前記操作手段のテーブル部への取付部を備える基部フレームの前記ブリッジが位置する側を開放した構成とするとともに、操作レバーの動作をブリッジに伝達し、ブリッジを起立あるいは倒伏させる部材を、少なくともブリッジを倒伏した際に車椅子の足受部分が基部フレームの開放した部分に進入できるように配設したことを特徴とする。
【手続補正３】
【補正対象書類名】明細書
【補正対象項目名】００１２
【補正方法】変更
【補正の内容】
【００１２】
次に、各部について説明する。
前記ベースフレーム２は、一定間隔離間させたサイドフレーム２ａ，２ａと、このサイドフレーム２ａ，２ａを連結する繋ぎフレーム２ｂ，２ｂとを固着することによって、平面視において略矩形状に構成されたものである。また、ベースフレーム２の左側の側部には支柱３，３が直立状態でそれぞれ止着されている。
【手続補正４】
【補正対象書類名】明細書
【補正対象項目名】００２０
【補正方法】変更
【補正の内容】
【００２０】
また、このスロープ７は、第６図に示すように自動操作手段３０により、テーブル部５が下限位置に位置しているときには、テーブル部５と設置面Ｇとを緩やかな角度で橋渡しする状態となり、テーブル部５が下限位置から上昇すると、スロープ７先端が徐々に起立されるとともに、起立した状態を保つように作動される。また、逆にテーブル部５を下限位置まで下降させると、スロープ７は自動的に倒伏される。この自動操作手段３０は、前記ベースフレーム２の前側左端部寄りに鉤状プレート３１を介してネジ止めされたポール部材３２と、ポール部材３２が撓むことを防止するテーブル部５に取付けられた筒体３３と、前記ポール部材３２と鉤状プレート３１下面に接触しながらテーブル部５の昇降に連動してポール部材３２に沿って上下に転動するようにローラー３４ａが備えられた作動体３４を前記スロープ７の左側側縁部に取付けて、構成されている。
これによると、テーブル部５が下限位置においては、テーブル部５と設置面Ｇとの間での車椅子Ｗの乗降が至便に行えるとともに、テーブル部５の昇降中はスロープ７が車止めの役割を果たし、仮に車椅子Ｗのブレーキを掛け忘れてもテーブル部５からの落下を防止することができる。また、利用者が安心して車椅子用昇降機１を使用できる。
なお、下限位置とは、設置面Ｇからテーブル部５に乗り込む際にテーブル部５が位置している位置のことである。
【手続補正５】
【補正対象書類名】明細書
【補正対象項目名】００２１
【補正方法】変更
【補正の内容】
【００２１】
続いて、段差上面Ｕと前記テーブル部５との間での乗降を至便にするためのブリッジ８について説明する。
このブリッジ８は、前記スロープ７と略同様の構成であり、脱輪防止のために前後両側縁部が上方へ曲折されたブリッジ板３５をブリッジ８の回動の基端となる回動軸３６ａ，３６ａを備えた取付部材３６にネジ止めさせ、前記回動軸３６ａ，３６ａに段付ローラー３７，３７を軸承させて構成されている。
このブリッジ８は、前記テーブル部５の主桁２１ｃに備えられたフック部材２９，２９に、ブリッジ８の段付ローラー３７，３７の小径部３７ａ，３７ａを掛合させ、テーブル板２２により段付ローラー３７，３７の大径部３７ｂ，３７ｂを押さえ込むことで、上下回動自在かつ脱落が防止されて、テーブル部５の後側側縁部寄りに取付けられている。なお、このブリッジ８は、前記スロープ７と同様にテーブル部５の前後及び右側の側縁部に取付け可能とされている。また、上述のようにブリッジ８は、前記スロープ７と同様の方法でテーブル部５に取付ける構成となっており、テーブル部５へのブリッジ８の取付けが簡便に行えるものとなっている。
【手続補正６】
【補正対象書類名】明細書
【補正対象項目名】００２３
【補正方法】変更
【補正の内容】
【００２３】
また、第１図に示すように、テーブル部５に乗り込んだ際に、利用者の背部側に操作手段２４が位置しても、ブリッジ８の起立動作を至便に行えるよう、図示してはいないが、前記操作レバー３８あるいは平行リンク４０にロープの一端を取付け、他端をテーブル部５の左側側部に配置している。これによると、第１図に示すような状態でテーブル部５に乗り込んだときに、利用者の側部に配置されたロープを引くことにより、操作手段２４を作動させることができ、ブリッジ８を起立させることができる。なお、ロープを引くことにより、操作手段２４に第７図に示す操作レバー３８の移動方向と略同じ方向の力が作用するように、前記テーブル部５の柵部材２３を迂回させる等してロープを配置しておくと、より至便に操作手段２４を作動させることができる。
【手続補正７】
【補正対象書類名】明細書
【補正対象項目名】００２４
【補正方法】変更
【補正の内容】
【００２４】
次に、車椅子Ｗがテーブル部５への進入方向に対して異なる方向に退出することを可能とするコーナースロープ９について説明する。
このコーナースロープ９は、ブリッジ８の幅方向の大きさを、段差上面Ｕからテーブル部５に進入する際に、車椅子Ｗを方向転換させながらテーブル部５へ乗り込んでいけるだけの大きさとして用いる場合には必要のないものである。しかし、車椅子用昇降機１を屋外と屋内の間で出入するためにしようする際には、家屋の内外を仕切る戸口の幅方向の大きさに制約があるため、上述のようにブリッジ８の幅を大きくすると、戸口とテーブル部５との間にブリッジ８を橋状態にして掛渡すことができない場合があり、車椅子用昇降機１を使用できないことがある。そこで、テーブル部５と戸口との間に橋状態にして掛渡すことができる幅方向の大きさとしたブリッジ８でも、車椅子Ｗを方向転換させながらテーブル部５に乗り込んで行けるように、コーナースロープ９は用いられるものである。
このコーナースロープ９は平面視において略三角形状に構成され、その一側縁部は脱輪防止のために上方へ曲折されている。また、後側側縁部は下方へ曲折され、前記ブリッジ８に取付け可能にされている。
そして、このコーナースロープ９は、第５図及び第７図に示すように、コーナースロープ９の左側と後側の側縁部が前記テーブル部５の右側とブリッジ８の前側の側縁部にそれぞれ沿うように配設されるとともに、コーナースロープ９の後側側縁部をブリッジ８の前側側縁部にネジ４４，４４にて止着している。なお、この際、コーナースロープ９とブリッジ８は略同一平面を形成している。
【手続補正８】
【補正対象書類名】明細書
【補正対象項目名】００２６
【補正方法】変更
【補正の内容】
【００２６】
したがって、車椅子Ｗがテーブル部５の左側側縁部から前側側縁部に向かってテーブル部５を通過できるようになり、車椅子Ｗがテーブル部５への進入方向に対して異なる方向に退出することができるようになる。また、上述したように、テーブル部５上で車椅子Ｗを方向転換できるだけの面積を必要とせず、テーブル部５の大きさを少なくとも車椅子Ｗが乗ることができる大きさとすることができる。さらに、テーブル部５へ乗り込む際あるいはテーブル部５から降りる際に、車椅子Ｗの方向転換を行うようにしたことで、テーブル部５への乗り入れ口であるスロープ７とブリッジ８の手前の設置面Ｇと段差上面Ｕに車椅子Ｗを方向転換させるためのスペースが必要なく、当該車椅子用昇降機１を設置できるだけのスペースがあれば、当該車椅子用昇降機１を使用することができる。また、コーナースロープ９を平面視において略三角形状に構成することで、車椅子Ｗがブリッジ８とコーナースロープ９の上面を通過する際に、車椅子Ｗが方向転換しなあがテーブル部５へ乗り込むことができる最小限のスペースを確保するようにしており、コーナースロープ９の材料費を安く抑えることができる。そして、コーナースロープ９をブリッジ８に取付けることで、テーブル部５と家屋の戸口の間で橋状態にして掛渡すことができる幅方向の大きさとしたブリッジ８を、車椅子Ｗを方向転換させながら通過可能にできる。また、コーナースロープ９をブリッジ８に取付けるようにしたことから、前記操作手段２４によりブリッジ８とともに起立あるいは倒伏され、コーナースロープ９が起立状態においては柵の役割も果たす。
なお、車椅子Ｗがテーブル部５の右側縁部から前側あるいは後側側縁部方向にテーブル部５を通過するように、テーブル部５への進入方向と退出方向が異なる車椅子Ｗのテーブル部５への乗降をＬ字乗降と称するとともに、車椅子Ｗがテーブル部５の前側側縁部から後側側縁部方向にテーブル部５を通過するように、テーブル部５への進入方向と退出方向が同じ車椅子Ｗのテーブル部５への乗降をＩ字乗降と称する。
【手続補正９】
【補正対象書類名】明細書
【補正対象項目名】００２７
【補正方法】変更
【補正の内容】
【００２７】
なお、前記コーナースロープ９の形状を平面視において、コーナースロープ９の左側側縁部長と後側側縁部長とを等しくした略二等辺三角形状とし、その両側縁部において前記ブリッジ８に取付け可能としておくと、第７図に示す状態から第９図に示す状態へ、テーブル部５へのスロープ７等の配置を変更する際に、コーナースロープ９は、ブリッジ８に対する取付け側縁部を後側から左側の側縁部に切り替えるだけで、変更可能となる。すなわち、一つのコーナースロープ９で車椅子用昇降機１の使用状態の変更が可能となり、コーナースロープ９を複数の種類、準備しておく必要がない。
また、前記コーナースロープ９の形状を平面視において略矩形状の形状としても、Ｌ字乗降の可能な車椅子用昇降機１を構成することができる。すなわち、コーナースロープ９はブリッジ８を車椅子Ｗが通過する際に、車椅子Ｗが方向転換を行いながら乗降できるようにスペースを確保できるものであれば良く、その形状は上述の形状に限定されるものではない。
【手続補正１０】
【補正対象書類名】明細書
【補正対象項目名】００２８
【補正方法】変更
【補正の内容】
【００２８】
さらに、第１１図に示すように、前記コーナースロープ９とブリッジ８とを一体的に構成したようなブリッジ４５を用いても良い。このようにしても、Ｌ字乗降が可能な車椅子用昇降機１を構成することができる。また、このブリッジ４５を用いてＩ字状工が可能な車椅子用昇降機１に使用状態を変更する際に、第１２図に示すように、ブリッジ４５の第１１図においてテーブル部５側に位置していた側縁部を段差上面Ｕ側に位置するように配設すると、車椅子Ｗの段差上面Ｕからのブリッジ４５への乗り入れ口の幅を大きくすることができ、車椅子Ｗのブリッジ４５への乗り入れをしやすくすることができる。
また、第１３図に示すように、前記コーナースロープ９二つとブリッジ８とを一体的に構成したようなブリッジ４６を用いても良い。このようにしても、Ｌ字乗降が可能な車椅子用昇降機１を構成することができるとともに、第７図と第９図に示したように、前記スロープ７のテーブル部５への取付け位置をテーブル部５の前側から後側に変更した際に、このブリッジ４６のテーブル部５への取付け位置をテーブル部５の右側側縁部において後側寄りから前側寄りに変更するだけで、乗降方向の異なるＬ字乗降が可能な車椅子用昇降機１とすることができる。すなわち、このブリッジ４６が一つあれば、二種類のＬ字乗降を可能とすることができる。また、このブリッジ４６を用いてＩ字乗降の可能な車椅子用昇降機１を構成する際に、上述のブリッジ４５と同様に、車椅子Ｗの段差上面Ｕからのブリッジ４６への乗り入れ口の幅を大きくすることができ、車椅子Ｗのブリッジ４６への乗り入れをしやすくすることができる。
【手続補正１１】
【補正対象書類名】明細書
【補正対象項目名】００２９
【補正方法】変更
【補正の内容】
【００２９】
そして、操作手段２４の操作レバー３８の動作をブリッジ８に伝達し、ブリッジ８を起立あるいは倒伏させる部材であるロッド４１を、第１４図に示すように、テーブル部５の前側側縁部から前方へ突出するように曲折した形状のロッド４７としても良い。これによると、右側を開放した略Ｊ字形状とした基部フレーム３９を用いていることで、第１５図に示すように、車椅子Ｗを方向転換させることができ、Ｌ字乗降を行いやすくできる。また、図示してはいないが、前記基部フレーム３９のの構成部材に沿うように曲折したロッドを用いても良い。これによると、このロッドを配設させた際に、ロッドが基部フレーム３９の開放していうる部分を正面視において遮ることがなく、上述と同様に、車椅子Ｗの足受部分と乗っている人の足先をテーブル部５からはみ出させながら車椅子Ｗを方向転換させることができ、Ｌ字乗降を行いやすくできる。さらに、ロッドをテーブル部５から極力はみ出さないようにできることで、車椅子用昇降機１を設置するに当たり影響を少なくできる。すなわち、少なくともブリッジ８を倒伏させた際に、車椅子Ｗの足受部分と乗っている人の足先が基部フレーム３９の解放した部分に進入することを妨げないようにロッドを曲折させておくと、上述の作用と効果を得ることができる。
また、第１６図に示すように、ロッド４１またはロッド４７の代わりにロープ４８を基部フレーム３９の構成部材に沿って配設させるようにしても良い。このようにすると、操作レバー３８を移動させて、ロープ４８を操作レバー３８側に引き寄せるようにするとブリッジ８は起立され、また、逆方向へ操作レバー３８を移動させて、ロープ４８をブリッジ８と操作レバー３８あるいは平行リンク４０との間で弛ませた状態とし、車椅子Ｗで押し倒すことでブリッジ８を倒伏させることができる。したがって、ブリッジ８の起立及び倒伏を可能とすることができるとともに、車椅子Ｗの足受部分と乗っている人の足先が基部フレーム３９の開放した部分に進入することができ、Ｌ字乗降を至便に行えるようになっている。なお、この際には、ブリッジ８とテーブル部５の間にバネ等の弾性体４９を配設させておくと、ブリッジ８がいきおい良く倒伏することを防止でき、段差上面Ｕ等、家屋の戸口等を傷つけることを防止できる。さらに、弾性体４９はブリッジ８を起立させる際の補助として作用するようにもなり、ブリッジ８を起立させる操作を至便に行えるようになっている。また、図示してはいないが、テーブル部５より外方向へ突出させるようにピン材をブリッジ８と操作レバー３８あるいは平行リンク４０に具備させ、そのピン材をロープにて連結することで、Ｌ字乗降を行う際に、ロープと車椅子Ｗの足受部分及び乗っている人の足先が干渉しないようにしても良い。このようにしても、Ｌ字乗降を至便に行えるようになる。
さらに、第１７図に示すように、ブリッジ８の一側縁部にプーリー５０を備えるとともに、平行リンク４０を構成する少なくとも一方の杆体５１にプーリー５２を備える。そして、それらプーリー５０，５２にループ状の歯付ベルト５３を掛合わせるとともに、歯付ベルト５３を基部フレーム３９の構成部材に沿って配設させるようにしても良い。このようにすると、操作レバー３８を移動させることで、平行リンク４０の杆体５１が回動され、杆体５１に備えたプーリー５２が回動される。そして、歯付ベルト５３が作動され、歯付ベルト５３がブリッジ８に備えたプーリー５０を回動させようとすることで、ブリッジ８が起立あるいは倒伏される。したがって、このようにしても、ブリッジ８の起立及び倒伏を可能とすることができるとともに、車椅子Ｗの足受部分と乗っている人の足先が基部フレーム３９の開放した部分に進入することができ、Ｌ字乗降を至便に行えるようになっている。
また、図示してはいないが、スライダークランク方式のリンクを前記ロッド４７やロープ４８あるいは歯付ベルト５３の代りに用いて、上述と同様の作用と効果を得ることができる操作手段２４を構成することもできる。すなわち、操作手段２４は、ブリッジ８を起立あるいは倒伏可能、かつ、少なくともブリッジ８を倒伏させた際に、車椅子Ｗの足受部分をテーブル部５からはみ出させながら方向転換できるよう構成したものであれば良く、これらに限定するものではない。
【手続補正１２】
【補正対象書類名】明細書
【補正対象項目名】００３１
【補正方法】変更
【補正の内容】
【００３１】
なお、本実施例においては、スロープ７及びブリッジ８の起立あるいは倒伏させる手段として、前記操作手段２４と自動操作手段３０を例示しているが、スロープ７及びブリッジ８の起立あるいは倒伏させる手段としては、以下のようなものであれば良い。テーブル部５が下限位置においてはスロープ７が下方回動して車椅子Ｗがテーブル部５へ乗り入れ可能な状態となり、テーブル部５が昇降中にはスロープ７及びブリッジ８が起立した状態を保持し車椅子Ｗの落下防止部材として機能でき、テーブル部５が所望する高さに達したときにはブリッジ８が下方回動可能な状態となり、車椅子Ｗがテーブル部５から降りることを可能に構成されているものであれば良い。
また、本実施例のスロープ７及びブリッジ８は上述のようなテーブル部５への取付方法を採用しているが、図示してはいないが、テーブル部５のテーブルフレーム２１の適所にボス部材を固着させるとともに、スロープ７及びブリッジ８の取付部材２７にもボス部材を固着させ、両ボス部材を軸剤にて枢結することで、スロープ７及びブリッジ８を上下回動自在にテーブル部５に取付けるようにしても良く、スロープ７及びブリッジ８を上下回動自在かつ脱落が防止された状態でテーブル部５に取付けることができる取付け方法であれば良い。
さらに、本実施例の車椅子用昇降機１は、昇降手段６により支柱３，３に沿って昇降する昇降部材４にテーブル部５を取付ける形態を例示しているが、昇降手段６にテーブル部５を直接取付ける形態の車椅子用昇降機としても、上述と同様の作用と効果を示す車椅子用昇降機を構成できることは言うまでもない。また、昇降手段６をテーブル部５下面に構成した形態の車椅子用昇降機としても、上述と同様の作用と効果を示す車椅子用昇降機を構成できる。
また、本実施例においては、便宜上、設置面Ｇとテーブル部５との間で橋渡しする部材をスロープ７、段差上面Ｕとテーブル部５との間で橋渡しする部材をブリッジ８と呼称しているが、両者はテーブル部５への乗降を至便にするためと、テーブル部５昇降中の落下防止部材としての機能を有するものであり、その作用及び効果は同一である。